(57)【要約】  【課題】冷蔵室の除霜水を冷蔵室外に排水する機能を持つ直冷式冷蔵庫において、庫内棚の温度分布を改善する。  【解決手段】内箱背面と庫内棚背面の間に、内箱背面と空間をあけて向かい合うように化粧カバー２０が備えられ、化粧カバー２０には複数の化粧カバー穴２１と化粧カバー穴の下部には冷気を受けるために内箱背面に伸びたリブ２２が設けられ、最下段の庫内棚とその上の庫内棚の間に位置する前記化粧カバー穴の合計面積より、最上段に位置する庫内棚の上方に位置する化粧カバー穴の合計面積を大きくしたことにより、最上段に位置する庫内棚も確実に冷やすことができ、温度分布を改善することができる。【選択図】図１
2008039249.tif 000002
【特許請求の範囲】
【請求項１】
外箱と内箱で構成される空間に断熱材が充填され、蛇行形状を有する冷蔵室冷却パイプが前記内箱の背面の断熱材側に取付けられた直冷式冷蔵庫の冷蔵室内に、二つ以上の水平配置された庫内棚を有し、内箱の背面に付着した水を冷蔵室外に排水するために、水を受けるドレン部とドレン部の一部が冷蔵室外と連通し、水を排水するための排水管部が内箱背面の下部に設けられている冷蔵庫において、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最下段の庫内棚とその上の庫内棚の間に位置する前記化粧カバー穴の合計面積より、最上段に位置する庫内棚の上方に位置する化粧カバー穴の合計面積を大きくしたことを特徴とする冷蔵庫。
【請求項２】
外箱と内箱で構成される空間に断熱材が充填され、蛇行形状を有する冷蔵室冷却パイプが前記内箱の背面の断熱材側に取付けられた直冷式冷蔵庫の冷蔵室内に、二つ以上の水平配置された庫内棚を有し、内箱の背面に付着した水を冷蔵室外に排水するために、水を受けるドレン部とドレン部の一部が冷蔵室外と連通し、水を排水するための排水管部が内箱背面の下部に設けられている冷蔵庫において、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最上段の庫内棚背面と前記化粧カバーとを接触させたことを特徴とする冷蔵庫。
【請求項３】
外箱と内箱で構成される空間に断熱材が充填され、蛇行形状を有する冷蔵室冷却パイプが前記内箱の背面の断熱材側に取付けられた直冷式冷蔵庫の冷蔵室内に、二つ以上の水平配置された庫内棚を有し、内箱の背面に付着した水を冷蔵室外に排水するために、水を受けるドレン部とドレン部の一部が冷蔵室外と連通し、水を排水するための排水管部が内箱背面の下部に設けられている冷蔵庫において、内箱背面と庫内棚背面の間に、内箱背面と空間をあけて向かい合うように化粧カバーと化粧カバー裏面に密着配置した断熱板が備えられ、化粧カバーと断熱板にはそれぞれ、複数の化粧カバー穴と断熱板穴が相対するように設けられ、断熱板穴の下部には内箱背面に伸びたリブが設けられたことを特徴とする冷蔵庫。
【請求項４】
外箱と内箱で構成される空間に断熱材が充填され、蛇行形状を有する冷蔵室冷却パイプが前記内箱の背面の断熱材側に取付けられた直冷式冷蔵庫の冷蔵室内に、二つ以上の水平配置された庫内棚を有し、内箱の背面に付着した水を冷蔵室外に排水するために、水を受けるドレン部とドレン部の一部が冷蔵室外と連通し、水を排水するための排水管部が内箱背面の下部に設けられている冷蔵庫において、内箱背面と庫内棚背面の間に、内箱背面と空間をあけて向かい合うように化粧カバーが備えられ、化粧カバーには複数の化粧カバー穴と、化粧カバー穴の下部には冷気を受けるために内箱背面に伸びたリブと、ファンが設けられたことを特徴とする冷蔵庫。
【請求項５】
外箱と内箱で構成される空間に断熱材が充填され、蛇行形状を有する冷蔵室冷却パイプが前記内箱の背面の断熱材側に取付けられた直冷式冷蔵庫の冷蔵室内に、二つ以上の水平配置された庫内棚を有し、内箱の背面に付着した水を冷蔵室外に排水するために、水を受けるドレン部とドレン部の一部が冷蔵室外と連通し、水を排水するための排水管部が内箱背面の下部に設けられている冷蔵庫において、内箱背面と庫内棚背面の間に、内箱背面と空間をあけて向かい合うように備えられた第一の化粧カバーと内箱天面と空間をあけて向かい合うように備えられた第二の化粧カバーとが連結し、第一の化粧カバー、または第二の化粧カバーのいずれかにファンが設けられ、前記第一の化粧カバーと第二の化粧カバーには複数の第一の化粧カバー穴、第二の化粧カバー穴が設けられ、第一の化粧カバー穴の下部には冷気を受けるために内箱背面に伸びたリブを備えたことを特徴とする冷蔵庫。
【発明の詳細な説明】
【技術分野】
【０００１】
本発明は、直接冷却方式の冷蔵庫に関するものである。
【背景技術】
【０００２】
従来、小型の冷蔵庫においては、直接冷却方式が一般的に採用されている（例えば特許文献１参照）。
【０００３】
図１１は特許文献１に記載された従来の冷蔵庫の断面図、図１２は特許文献１に記載された従来の冷蔵庫の冷蔵室の正面図、図１３は特許文献１に記載された従来の冷蔵庫の内箱の背面斜視図を示すものである。図１１、１２、１３に示すように冷蔵庫本体１は外箱２と内箱３で囲まれた空間に断熱材４が充填された外殻構造をしており、上室が冷蔵室５、下室が冷凍室６である。冷蔵室５には食品を載せる第１の庫内棚７、第２の庫内棚８が上下に、また、冷蔵室ドア９には第１のドア棚１０、第２のドア棚１１が備えられていて、冷却器１２は、冷蔵室５を冷却するための蛇行形状を有する冷蔵室冷却パイプ１３と冷凍室６を冷却するための同じく蛇行形状を有する冷凍室冷却パイプ１４から成り、冷蔵室冷却パイプ１３は内箱３の背面の断熱材４側に、冷凍室冷却パイプ１４は内箱３の複数面の断熱材４側に取付けられ、冷却器１２からの熱伝導により冷却された内箱３が冷蔵室５及び冷凍室６を冷却している。冷却器１２に冷媒を供給するための圧縮機１５は、運転と停止を繰り返すことで、冷蔵室５と冷凍室６は所定の温度に保たれている。また、圧縮機１５の停止中毎には、冷蔵室５外からの吸熱により内箱３の温度が昇温するが、この時内箱３に付着した氷が融解し、融解した除霜水が内箱３を伝って下方に流れ落ちる。この除霜水を冷蔵室５外に排出するために、内箱３の背面下部に除霜水を受けるためのドレン部１６が備えられ、かつドレン部１６の一部には冷蔵室５外と連通している排水管部１７が設けられている。この霜取り方式は冷蔵室の除霜水を拭き取る手間も無いので使い勝手が良く、また安価でもあるため、小型機種に一般的に用いられている。
【特許文献１】特開平７−１２０１０８号公報
【発明の開示】
【発明が解決しようとする課題】
【０００４】
しかしながら、上記従来例に記載されている冷蔵庫の冷蔵室においては、除霜水をドレン部で受け冷蔵庫外に排出するために、冷蔵室冷却パイプが内箱背面にしかないため冷やされ比重が大きくなった空気は冷蔵室の下方へと移動する。このため、最下段に位置する庫内棚は良く冷えるが、最上段に位置する庫内棚は温度が高く、各庫内棚間の温度分布が悪いという問題があった。
【０００５】
本発明は上記従来の課題を解決するもので、直冷式冷蔵室においても温度分布を改善した冷蔵庫を提供するものである。
【課題を解決するための手段】
【０００６】
上記従来の課題を解決するために、本発明の冷蔵庫は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最下段の庫内棚とその上の庫内棚の間に位置する前記化粧カバー穴の合計面積より、最上段に位置する庫内棚の上方に位置する化粧カバー穴の合計面積を大きくしたことを特徴としたものである。
【０００７】
これによって、冷蔵室冷却パイプによって冷却された空気は比重が大きくなり冷蔵室の下方に移動するが、途中、リブによって化粧カバー穴へ導かれ庫内へと流入する。最上段に位置する庫内棚の上方に位置する化粧穴の合計面積は、最下段の庫内棚とその上の庫内棚の間に位置する前記化粧カバー穴の合計面積より大きいので、最上段に位置する庫内棚も確実に冷やすことができ、温度分布を改善することができる。
【０００８】
また、本発明の冷蔵庫は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最上段の庫内棚背面と前記化粧カバーとを接触させたことを特徴としたものである。
【０００９】
これによって、冷蔵室冷却パイプによって冷却された空気は比重が大きくなり冷蔵室の下方に移動するが、途中、リブによって化粧カバー穴へ導かれ庫内へと流入する。最上段の庫内棚背面と前記化粧カバーとが接触しているので、最上段の庫内棚は流入した全ての冷気を受け止めることができる。このため、最上段の庫内棚も確実に冷やすことができ、温度分布を改善することができる。
【００１０】
また、本発明の冷蔵庫は、内箱背面と庫内棚背面の間に、内箱背面と空間をあけて向かい合うように化粧カバーと化粧カバー裏面に密着配置した断熱板が備えられ、化粧カバーと断熱板にはそれぞれ、複数の化粧カバー穴と断熱板穴が相対するように設けられ、断熱板穴の下部には内箱背面に伸びたリブが設けられたことを特徴したものである。
【００１１】
これによって、冷蔵室冷却パイプによって冷却された空気は比重が大きくなり冷蔵室の下方に移動するが、途中、リブによって断熱板穴を通過後、化粧カバー穴へ導かれ庫内へと流入する。化粧カバー裏面に断熱板が備えられているので、庫内へ流入する空気は化粧カバー穴までは庫内の空気と熱交換がないため、冷却パイプによって冷却された温度を維持している。このため、最上段の庫内棚へ流入する空気温度を低くでき、最上段の庫内棚も確実に冷やすことができ、温度分布を改善することができる。
【００１２】
また、本発明の冷蔵庫は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブとファンが設けられたことを特徴としたものである。
【００１３】
これによって、冷蔵室冷却パイプによって冷却された空気はファン運転時には、庫内へ強制循環され、また、ファン停止時には空気は比重が大きくなり冷蔵室の下方に移動するが、途中、リブによって化粧カバー穴へ導かれ庫内へと流入する。したがって、ファン運転時はもとより、ファン停止時にも、最上段の庫内棚を確実に冷やすことができ、温度分布を改善することができる。
【００１４】
また、本発明の冷蔵庫は、内箱背面と庫内棚背面の間に、内箱背面と空間をあけて向かい合うように備えられた第一の化粧カバーと内箱天面と空間をあけて向かい合うように備えられた第二の化粧カバーとが連結し、第一の化粧カバー、または第二の化粧カバーのいずれかにファンが設けられ、前記第一の化粧カバーと第二の化粧カバーには複数の第一の化粧カバー穴、第二の化粧カバー穴が設けられ、第一の化粧カバー穴の下部には冷気を受けるために内箱背面に伸びたリブを備えたことを特徴としたものである。
【００１５】
これによって、冷蔵室冷却パイプによって冷却された空気はファン運転時には、庫内へ強制循環され、また、ファン停止時には空気は比重が大きくなり冷蔵室の下方に移動するが、途中、リブによって化粧カバー穴へ導かれ庫内へと流入する。したがって、ファン運転時はもとより、ファン停止時にも、最上段の庫内棚を確実に冷やすことができ、温度分布を改善することができる。
【発明の効果】
【００１６】
本発明の冷蔵庫は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最下段の庫内棚とその上の庫内棚の間に位置する前記化粧カバー穴の合計面積より、最上段に位置する庫内棚の上方に位置する化粧カバー穴の合計面積を大きくしたことで、冷蔵室冷却パイプによって冷却された空気は比重が大きくなり冷蔵室の下方に移動するが、途中、リブによって化粧カバー穴へ導かれ庫内へと流入する。最上段に位置する庫内棚の上方に位置する化粧穴の合計面積は、最下段の庫内棚とその上の庫内棚の間に位置する前記化粧カバー穴の合計面積より大きいので、最上段に位置する庫内棚も確実に冷やすことができ、温度分布を改善することができる。
【００１７】
また、本発明の冷蔵庫は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最上段の庫内棚背面と前記化粧カバーとを接触させたことで、冷蔵室冷却パイプによって冷却された空気は比重が大きくなり冷蔵室の下方に移動するが、途中、リブによって化粧カバー穴へ導かれ庫内へと流入する。最上段の庫内棚背面と前記化粧カバーとが接触しているので、最上段の庫内棚は流入した全ての冷気を受け止めることができる。このため、最上段の庫内棚も確実に冷やすことができ、温度分布を改善することができる。
【００１８】
また、本発明の冷蔵庫は、内箱背面と庫内棚背面の間に、内箱背面と空間をあけて向かい合うように化粧カバーと化粧カバー裏面に密着配置した断熱板が備えられ、化粧カバーと断熱板にはそれぞれ、複数の化粧カバー穴と断熱板穴が相対するように設けられ、断熱板穴の下部には内箱背面に伸びたリブが設けられたことで、冷蔵室冷却パイプによって冷却された空気は比重が大きくなり冷蔵室の下方に移動するが、途中、リブによって断熱板穴を通過後、化粧カバー穴へ導かれ庫内へと流入する。化粧カバー裏面に断熱板が備えられているので、庫内へ流入する空気は化粧カバー穴までは庫内の空気と熱交換がないため、冷却パイプによって冷却された温度を維持している。このため、最上段の庫内棚へ流入する空気温度を低くでき、最上段の庫内棚も確実に冷やすことができ、温度分布を改善することができる。
【００１９】
また、本発明の冷蔵庫は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブとファンが設けられたことで、冷蔵室冷却パイプによって冷却された空気はファン運転時には、庫内へ強制循環され、また、ファン停止時には空気は比重が大きくなり冷蔵室の下方に移動するが、途中、リブによって化粧カバー穴へ導かれ庫内へと流入する。したがって、ファン運転時はもとより、ファン停止時にも、最上段の庫内棚を確実に冷やすことができ、温度分布を改善することができる。
【００２０】
また、本発明の冷蔵庫は、内箱背面と庫内棚背面の間に、内箱背面と空間をあけて向かい合うように備えられた第一の化粧カバーと内箱天面と空間をあけて向かい合うように備えられた第二の化粧カバーとが連結し、第一の化粧カバー、または第二の化粧カバーのいずれかにファンが設けられ、前記第一の化粧カバーと第二の化粧カバーには複数の第一の化粧カバー穴、第二の化粧カバー穴が設けられ、第一の化粧カバー穴の下部には冷気を受けるために内箱背面に伸びたリブを備えたことで、冷蔵室冷却パイプによって冷却された空気はファン運転時には庫内へ強制循環され、また、ファン停止時には空気は比重が大きくなり冷蔵室の下方に移動するが、途中、リブによって化粧カバー穴へ導かれ庫内へと流入する。したがって、ファン運転時はもとより、ファン停止時にも、最上段の庫内棚を確実に冷やすことができ、温度分布を改善することができる。
【発明を実施するための最良の形態】
【００２１】
請求項１に記載の発明は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最下段の庫内棚とその上の庫内棚の間に位置する前記化粧カバー穴の合計面積より、最上段に位置する庫内棚の上方に位置する化粧カバー穴の合計面積を大きくしたことで、冷蔵室冷却パイプによって冷却された空気は比重が大きくなり冷蔵室の下方に移動するが、途中、リブによって化粧カバー穴へ導かれ庫内へと流入する。最上段に位置する庫内棚の上方に位置する化粧穴の合計面積は、最下段の庫内棚とその上の庫内棚の間に位置する前記化粧カバー穴の合計面積より大きいので、最上段に位置する庫内棚も確実に冷やすことができ、温度分布を改善することができる。
【００２２】
請求項２に記載の発明は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブが設けられ、最上段の庫内棚背面と前記化粧カバーとを接触させたことで、冷蔵室冷却パイプによって冷却された空気は比重が大きくなり冷蔵室の下方に移動するが、途中、リブによって化粧カバー穴へ導かれ庫内へと流入する。最上段の庫内棚背面と前記化粧カバーとが接触しているので、最上段の庫内棚は流入した全ての冷気を受け止めることができる。このため、最上段の庫内棚も確実に冷やすことができ、温度分布を改善することができる。
【００２３】
請求項３に記載の発明は、内箱背面と庫内棚背面の間に、内箱背面と空間をあけて向かい合うように化粧カバーと化粧カバー裏面に密着配置した断熱板が備えられ、化粧カバーと断熱板にはそれぞれ、複数の化粧カバー穴と断熱板穴が相対するように設けられ、断熱板穴の下部には内箱背面に伸びたリブが設けられたことで、冷蔵室冷却パイプによって冷却された空気は比重が大きくなり冷蔵室の下方に移動するが、途中、リブによって断熱板穴を通過後、化粧カバー穴へ導かれ庫内へと流入する。化粧カバー裏面に断熱板が備えられているので、庫内へ流入する空気は化粧カバー穴までは庫内の空気と熱交換がないため、冷却パイプによって冷却された温度を維持している。このため、最上段の庫内棚へ流入する空気温度を低くでき、最上段の庫内棚も確実に冷やすことができ、温度分布を改善することができる。
【００２４】
請求項４に記載の発明は、内箱背面と庫内棚背面の間に、内箱背面と空間をあけて向かい合うように化粧カバーが備えられ、化粧カバーには複数の化粧カバー穴と化粧カバー穴の下部には冷気を受けるために内箱背面に伸びたリブとファンが設けられたことで、冷蔵室冷却パイプによって冷却された空気はファン運転時には、庫内へ強制循環され、また、ファン停止時には空気は比重が大きくなり冷蔵室の下方に移動するが、途中、リブによって化粧カバー穴へ導かれ庫内へと流入する。したがって、ファン運転時はもとより、ファン停止時にも、最上段の庫内棚を確実に冷やすことができ、温度分布を改善することができる。
【００２５】
請求項５に記載の発明は、内箱背面と庫内棚背面の間に、内箱背面と空間をあけて向かい合うように備えられた第一の化粧カバーと内箱天面と空間をあけて向かい合うように備えられた第二の化粧カバーとが連結し、第一の化粧カバー、または第二の化粧カバーのいずれかにファンが設けられ、前記第一の化粧カバーと第二の化粧カバーには複数の第一の化粧カバー穴、第二の化粧カバー穴が設けられ、第一の化粧カバー穴の下部には冷気を受けるために内箱背面に伸びたリブを備えたことで、冷蔵室冷却パイプによって冷却された空気はファン運転時には庫内へ強制循環され、また、ファン停止時には空気は比重が大きくなり冷蔵室の下方に移動するが、途中、リブによって化粧カバー穴へ導かれ庫内へと流入する。したがって、ファン運転時はもとより、ファン停止時にも、最上段の庫内棚を確実に冷やすことができ、温度分布を改善することができる。
【００２６】
以下、本発明の実施の形態について、図面を参照しながら説明するが、従来例または先に説明した実施の形態と同一構成について同一符号を付して、その詳細な説明は省略する。なお、この実施の形態によって、この発明が限定されるものではない。
【００２７】
（実施の形態１）
図１は本発明の実施の形態１による冷蔵庫の断面図である。図２は本発明の実施の形態１による冷蔵室の正面図である。
【００２８】
図１，２，３において１８は冷蔵庫本体であり、上室の冷蔵室１９の内箱３の背面には、化粧カバー２０が取付けられている。２１は化粧カバー穴で、化粧カバー２０に複数設けられている。２２は冷気を受けるリブで、各化粧カバー穴２１毎に化粧カバー穴２１の下部に設けられている。Ａ部は第１の庫内棚７の上部に位置する化粧穴２１群を示し、Ｂ部は第１の庫内棚７と第２の庫内棚８の間に位置する化粧カバー２１群を示している。Ａ部の化粧穴２１群の穴面積の合計は、Ｂ部の化粧穴２１群の穴面積の合計より、大きくしている。
【００２９】
以上のように構成された冷蔵庫について、以下その動作、作用について説明する。
【００３０】
冷蔵室冷却パイプ１３により内箱３が冷却され、その内箱３によって冷却された空気は比重が大きくなり冷蔵室１９の下方に移動するが、途中、リブ２２によって化粧カバー穴２１へ導かれる。Ａ部の化粧穴２１群の穴面積は、Ｂ部の化粧穴２１群の穴面積より大きくしているので、第１の庫内棚７へ流入する冷却された空気量が多くなり第１の庫内棚７を確実に冷却することができる。つまり、第１の庫内棚７に載せられた食品の温度と第２の庫内棚８に載せられた食品の温度はほぼ同一で、第１の庫内棚７、第２の庫内棚８、いずれの棚においても食品の鮮度は保たれる。
【００３１】
（実施の形態２）
図３は本発明の実施の形態２による冷蔵庫の断面図である。図４は本発明の実施の形態２による冷蔵室の正面図である。
【００３２】
図１，２，３において２３は冷蔵庫本体であり、上室の冷蔵室２４の内箱３の背面には、化粧カバー２５が取付けられ、第１の庫内棚７の背面と接触している。２６は化粧カバー穴で、化粧カバー２５に複数設けられている。２７は冷気を受けるリブで、各化粧カバー穴２６毎に化粧カバー穴２６の下部に設けられている。
【００３３】
以上のように構成された冷蔵庫について、以下その動作、作用について説明する。
【００３４】
冷蔵室冷却パイプ１３により内箱３が冷却され、その内箱３によって冷却された空気は比重が大きくなり冷蔵室２４の下方に移動するが、途中、リブ２７によって化粧カバー穴２６へ導かれる。第１の庫内棚７の上部に位置する化粧カバー穴２６を通過した冷却された空気は、第１の庫内棚７の背面が化粧カバーと接触しているため、全て第１の庫内棚７上へ流入する。これにより、第１の庫内棚７を確実に冷却することができる。つまり、第１の庫内棚７に載せられた食品の温度と第２の庫内棚８に載せられた食品の温度はほぼ同一で、第１の庫内棚７、第２の庫内棚８、いずれの棚においても食品の鮮度は保たれる。
【００３５】
（実施の形態３）
図５は本発明の実施の形態３による冷蔵庫の断面図である。図６は本発明の実施の形態３による冷蔵室の正面図である。
【００３６】
図１，２，３において２８は冷蔵庫本体であり、上室の冷蔵室２９の内箱３の背面には、化粧カバー３０が取付けられている。３１は化粧カバー穴で、化粧カバー３０に複数設けられている。３２は断熱板で化粧カバー３０の裏面に密着配置している。３３は断熱板穴で、化粧カバー穴３１と相対するように設けられている。３４は冷気を受けるリブで、断熱板穴３３の下部に設けられ、断熱板３２と一体成型されている。
【００３７】
以上のように構成された冷蔵庫について、以下その動作、作用について説明する。
【００３８】
冷蔵室冷却パイプ１３により内箱３が冷却され、その内箱３によって冷却された空気は比重が大きくなり冷蔵室２９の下方に移動するが、途中、リブ３４によって断熱板穴３１、さらには化粧カバー穴３１へ導かれる。化粧カバー３０裏面に断熱板３２が備えられているので、冷蔵室２９へ流入する空気は化粧カバー穴３１までは庫内の空気と熱交換がないため、冷却パイプ１３によって冷却された温度を維持している。このため、第１の庫内棚７へ流入する空気温度を低くでき、第１の庫内棚７を確実に冷やすことができる。つまり、第１の庫内棚７に載せられた食品の温度と第２の庫内棚８に載せられた食品の温度はほぼ同一で、第１の庫内棚７、第２の庫内棚８、いずれの棚においても食品の鮮度は保たれる。
【００３９】
（実施の形態４）
図７は本発明の実施の形態４による冷蔵庫の断面図である。図８は本発明の実施の形態４による冷蔵室の正面図である。
【００４０】
図１，２，３において３５は冷蔵庫本体であり、上室の冷蔵室３６の内箱３の背面には、化粧カバー３７が取付けられている。３８は化粧カバー穴で、化粧カバー３７に複数設けられている。３９は冷気を受けるリブで、各化粧カバー穴３８毎に化粧カバー穴３８の下部に設けられている。内箱３と化粧カバー３７で囲まれる空間は風路を構成している。４０は冷気を強制的に冷蔵室３６内へ送り出すファンで、この風路を通過した冷気を吐出穴４１から冷蔵室３６内へ強制的に冷気を送り出している。
【００４１】
以上のように構成された冷蔵庫について、以下その動作、作用について説明する。
【００４２】
ファン４０運転時において、ファン４０は、空気を化粧カバー穴３８から取り入れ、取り入れられた空気は、冷蔵室冷却パイプ１３により冷却される。その後、冷却された空気はファン４０によって、吐出穴４１から冷蔵室３６内へ強制的に送り出されている。ファン４０によって空気が強制循環されるので、第１の庫内棚７も第２の庫内棚８も一様に冷却される。また、ファン４０停止時には冷蔵室冷却パイプ１３近傍の、冷却され比重が大きくなった空気は、冷蔵室３６の下方に移動するが、途中、リブ３９によって化粧カバー穴３８へ導かれ冷蔵室３６内へと流入し、第１の庫内棚７も確実に冷却する。したがって、ファン４０運転時はもとより、ファン４０停止時にも、第１の庫内棚７を確実に冷やすことができ、温度分布を改善することができる。つまり、第１の庫内棚７に載せられた食品の温度と第２の庫内棚８に載せられた食品の温度はほぼ同一で、第１の庫内棚７、第２の庫内棚８、いずれの棚においても食品の鮮度は保たれる。
【００４３】
（実施の形態５）
図９は本発明の実施の形態５による冷蔵庫の断面図である。図１０は本発明の実施の形態５による冷蔵室の正面図である。
【００４４】
図１，２，３において４２は冷蔵庫本体であり、上室の冷蔵室４３の内箱３の背面には、第１の化粧カバー４４が取付けられている。４５は第１の化粧カバー穴で、第１の化粧カバー４４に複数設けられている。４６は冷気を受けるリブで、各第１の化粧カバー穴４５毎に第１の化粧カバー穴４５の下部に設けられている。また、内箱３の天面には複数の第２の化粧カバー穴４７を有する第２の化粧カバー４８が取り付けられている。第１の化粧カバー４４と第２の化粧カバー４８とは連結し、内箱３の背面、天面と第１の化粧カバー４４、第２の化粧カバー４８で囲まれる空間は風路を構成している。４９はファンで、この風路を使い冷蔵室４３内へ強制的に冷気を送り出している。
【００４５】
以上のように構成された冷蔵庫について、以下その動作、作用について説明する。
【００４６】
ファン４９運転時において、ファン４９は、空気を第１の化粧カバー穴４５から取り入れ、取り入れられた空気は、冷蔵室冷却パイプ１３により冷却される。その後、冷却された空気はファン４９によって、第２の化粧カバー穴４７から冷蔵室４３内へ強制的に送り出されている。ファン４９によって空気が強制循環されるので、第１の庫内棚７も第２の庫内棚８も一様に冷却される。第２の化粧カバー穴４７は、第１のドア棚１０、第２のドア棚１１に位置的に近いので、第１のドア棚１０、第２のドア棚１１も冷却される。また、ファン４９停止時には冷蔵室冷却パイプ１３近傍の、冷却され比重が大きくなった空気は、冷蔵室４３の下方に移動するが、途中、リブ４６によって第１の化粧カバー穴４５へ導かれ冷蔵室４３内へと流入し、第１の庫内棚７も確実に冷却する。したがって、ファン４９運転時はもとより、ファン４９停止時にも、第１の庫内棚７を確実に冷やすことができ、温度分布を改善することができる。つまり、いずれの棚に載せられた食品の温度もほぼ同一となり食品の鮮度は保たれる。
【産業上の利用可能性】
【００４７】
以上のように、本発明にかかる冷蔵庫は、直冷式冷蔵庫であっても、空気の流れを制御し、温度分布を改善することで、どの棚に食品を載せても食品の鮮度を保つことができる。
【図面の簡単な説明】
【００４８】
【図１】本発明の実施の形態１による冷蔵庫の断面図
【図２】本発明の実施の形態１による冷蔵室の正面図
【図３】本発明の実施の形態２による冷蔵庫の断面図
【図４】本発明の実施の形態２による冷蔵室の正面図
【図５】本発明の実施の形態３による冷蔵庫の断面図
【図６】本発明の実施の形態３による冷蔵室の正面図
【図７】本発明の実施の形態４による冷蔵庫の断面図
【図８】本発明の実施の形態４による冷蔵室の正面図
【図９】本発明の実施の形態５による冷蔵庫の断面図
【図１０】本発明の実施の形態５による冷蔵室の正面図
【図１１】従来の冷蔵庫の断面図
【図１２】従来の冷蔵庫の冷蔵室の正面図
【図１３】従来の冷蔵庫の内箱の背面斜視図
【符号の説明】
【００４９】
２    外箱
３    内箱
４    断熱材
７    第１の庫内棚
８    第２の庫内棚
１３  冷蔵室冷却パイプ
１６  ドレン部
１７  排水管部
１８，２３，２８，３５，４２  冷蔵庫本体
１９，２４，２９，３６，４３  冷蔵室
２０，２５，３０，３７，  化粧カバー
２１，２６，３１，３８  化粧カバー穴
２２，２７，３４，３９，４６  リブ
３２  断熱板
３３  断熱板穴
４０，４９  ファン
４１  吐出穴
４４  第１の化粧カバー
４５  第１の化粧カバー穴
４７  第２の化粧カバー穴
４８  第２の化粧カバー
【図１】
2008039249.tif 000003
【図２】
2008039249.tif 000004
【図３】
2008039249.tif 000005
【図４】
2008039249.tif 000006
【図５】
2008039249.tif 000007
【図６】
2008039249.tif 000008
【図７】
2008039249.tif 000009
【図８】
2008039249.tif 000010
【図９】
2008039249.tif 000011
【図１０】
2008039249.tif 000012
【図１１】
2008039249.tif 000013
【図１２】
2008039249.tif 000014
【図１３】
2008039249.tif 000015